(57)【要約】【課題】  ディスク回転速度の限界に対処する技術を提供する。【解決手段】  ホスト装置が光ディスク装置に再生方法を指定する記録再生方法であって、ホスト装置は光ディスク上の連続再生が必要なコンテンツを再生する場合、光ディスク上のコンテンツの種類を判別し、このコンテンツを再生するために必要な最低再生速度を確認し、この最低再生速度を光ディスク装置に指定することを特徴とする記録生再生方法。  また、ホスト部が光ディスクドライブに再生方法を指定する記録再生装置であって、光ディスク上の連続再生が必要なコンテンツを再生する場合、光ディスク上のコンテンツの種類を判別しこのコンテンツを再生するために必要な最低再生速度を確認するホスト部と、この最低再生速度を前記ホスト部から指定される光ディスクドライブとを備えることを特徴とする記録生再生装置。【選択図】      図５
2010033629.tif 000002
【特許請求の範囲】
【請求項１】
ホスト装置が光ディスク装置に再生方法を指定する記録再生方法であって、
ホスト装置は光ディスク上の連続再生が必要なコンテンツを再生する場合、光ディスク上のコンテンツの種類を判別し、
このコンテンツを再生するために必要な最低再生速度を確認し、
この最低再生速度を光ディスク装置に指定することを特徴とする記録生再生方法。
【請求項２】
ホスト装置が光ディスク装置に再生方法を指定する記録再生方法であって、
光ディスク装置はホスト装置に指定された最低再生速度に対応していない場合は、ホスト装置に前記最低再生速度に対応していない旨を通知することを特徴とする記録生再生方法。
【請求項３】
ホスト装置は光ディスク装置のディスクの種類毎の、または現在挿入されているディスクの対応可能な最低記録再生速度を示すデータを取得することを特徴とする請求項１に記載の記録生再生方法。
【請求項４】
ホスト装置が光ディスク装置に再生方法を指定する記録再生方法であって、
光ディスク装置はホスト装置に指定された最低再生速度に対応していない場合は、ホスト装置に前記最低再生速度に対応していない旨を通知し、
ホスト装置はこの旨を外部に表示し、外部からの再生動作を開始するか、中止するかの選択に基づいて光ディスク装置に再生指示を行うことを特徴とする記録生再生方法。
【請求項５】
ホスト装置は光ディスク装置の現在の最低記録再生速度を示すデータを取得することを特徴とする請求項１に記載の記録生再生方法。
【請求項６】
ホスト部が光ディスクドライブに再生方法を指定する記録再生装置であって、
光ディスク上の連続再生が必要なコンテンツを再生する場合、光ディスク上のコンテンツの種類を判別しこのコンテンツを再生するために必要な最低再生速度を確認するホスト部と、
この最低再生速度を前記ホスト部から指定される光ディスクドライブとを
備えることを特徴とする記録生再生装置。
【発明の詳細な説明】
【技術分野】
【０００１】
本発明は、記録再生装置及び記録再生方法に係わり、特に映像データのような連続再生が必要なデータの記録再生装置及び記録再生方法に関する。
【背景技術】
【０００２】
近年、ＤＶＤ等の光ディスクを再生する再生装置の再生速度の向上がめざましく、あらゆるディスクが最高速度で再生されるようになっている。しかし、ＤＶＤ−Ｖｉｄｅｏ再生時には、ホストから低速での読み取り速度しか要求されないにもかかわらず、再生装置は最高速度でディスクを再生しホストへ低速で再生データが転送されるようになっているといったことがあった。
【０００３】
関連して特許文献１では、図２に示されるように、ドライブが（光ディスク装置）光ディスクに記録されているデータの種類を判別しディスクの回転速度を定める方法が記載されている。
【０００４】
この例では、DVDに記録されているデータの種類を判別し、記録されているデータがDVD-Video ならばDVD-Video 再生に必要十分な再生速度になるようなディスク回転速度、それ以外ならばドライブが持つ最高ディスク回転速度を定める方法が記載されている。しかしながら、DVD-Video 再生に必要十分な再生速度になるようなディスク回転速度を実現できない場合に係わる技術は開示されていない。
【特許文献１】特開２００１−３５７６０１号公報（図２）
【発明の開示】
【発明が解決しようとする課題】
【０００５】
本発明は、ディスク回転速度の限界に対処する技術を提供することを目的とする。
【課題を解決するための手段】
【０００６】
上記課題を解決するために、本発明の記録生再生方法は、ホスト装置が光ディスク装置に再生方法を指定する記録再生方法であって、ホスト装置は光ディスク上の連続再生が必要なコンテンツを再生する場合、光ディスク上のコンテンツの種類を判別し、このコンテンツを再生するために必要な最低再生速度を確認し、この最低再生速度を光ディスク装置に指定することを特徴とする。
【０００７】
また本発明の記録生再生装置は、ホスト部が光ディスクドライブに再生方法を指定する記録再生装置であって、光ディスク上の連続再生が必要なコンテンツを再生する場合、光ディスク上のコンテンツの種類を判別しこのコンテンツを再生するために必要な最低再生速度を確認するホスト部と、この最低再生速度を前記ホスト部から指定される光ディスクドライブとを備えることを特徴とする。
【発明の効果】
【０００８】
本発明によれば、ディスク回転速度の限界に対処する技術が得られる。
【発明を実施するための最良の形態】
【０００９】
本発明による実施形態１を図１乃至図５を参照して説明する。
＜光ディスク記録再生システム＞
図１は、この発明の一実施の形態に係るディスク状の情報記憶媒体（光ディスク）に対して情報の記録および／または再生を行なう情報記録再生システム（プレーヤ／レコーダ）１００の概略構成を説明するブロック図である。
【００１０】
図１に示される情報記録再生システム１００は、音声／映像情報（ＡＶ情報）やユーザデータ等を格納する光ディスク１０と、光ディスク１０に情報を記録し、および／または光ディスク１０から情報を再生する光ディスク装置（またはディスクドライブ装置）２００と、光ディスク装置２００に指令を発行し、光ディスク装置２００を介して光ディスク１０から必要な情報を読み出し、ＡＶ情報の再生やユーザへの情報表示等を行うホスト部３００を含んで構成されている。
【００１１】
光ディスクレコーダや光ディスクプレーヤといった装置１００は、図１に示すように、その装置内に、光ディスク装置２００とホスト部３００を内蔵している。ホスト部３００は、ＣＰＵ（Central Processing Unit）またはＭＰＵ（Micro Processing Unit）、作業領域として用いられるＲＡＭ（Random Access Memory）、設定パラメータや電源が落とされても保持しておくべき種々なデータ等を記憶保持するＲＯＭ（Read Only Memory）または不揮発性メモリを備えている。この不揮発性メモリとしては、ＥＥＰＲＯＭ（Electrically Erasable and Programmable ROM）やフラッシュメモリー等を用いることができる。
【００１２】
これらのＲＯＭまたは不揮発性メモリには、ユーザの要求に対して実行される種々なプログラム（ファームウエア）、処理に必要なデータ、ファイル管理に必要なファイルシステム等を記録しておくことができる。たとえば、これらのＲＯＭまたは不揮発性メモリには、ＤＶＤビデオフォーマットのＵＤＦブリッジファイルシステム、ＤＶＤビデオレコーディングフォーマットのＵＤＦファイルシステム、また、ビデオフォーマット（HD_DVD-Video）のＵＤＦファイルシステム、ビデオレコーディングフォーマット（HD_DVD-Recordable）のＵＤＦファイルシステム、アプリケーションソフト等が格納される。
【００１３】
図２は、この発明の一実施の形態に係るディスク状の情報記憶媒体（光ディスク）に対して情報の記録および／または再生を行なうパーソナルコンピュータの概略構成を説明する図である。図１ではホスト３００がその装置１００専用に用意されているが、図２ではパーソナルコンピュータのＣＰＵ／ＭＰＵをソフトウエア（オペレーティングシステムに付属する仮想ソフトウエアプレーヤ／レコーダ）によりホスト３００ＰＣとして用いている。図２に示すようなパーソナルコンピュータ等のシステムでは、パーソナルコンピュータ（ＰＣ）がホストとなる。ホスト３００ＰＣに接続された光ディスク装置２００（例えばノートＰＣに内蔵される汎用のＤＶＤマルチドライブ）に対する指示の発行は、ＯＳ（オペレーションソフト）やライティングソフト、ビデオ再生ソフトといったアプリケーションソフトを実行することにより行われる。
【００１４】
＜光ディスク装置＞
図３は、図１または図２の光ディスク装置（ディスクドライブ装置）２００の概略構成を説明するブロック図である。光ディスク装置２００は、光学ヘッド（optical Pick-Up Head）ＰＵＨ２０８から出射されるレーザ光を、スピンドルモータ２２０で回転駆動される光ディスク１０内の情報記録層に集光する（フォーカスサーボにより対象記録層に焦点を合わせる）ことにより、情報の記録再生を行っている。ディスク１０（そのレイヤー０および／またはレイヤー１）から反射した光は、再びＰＵＨ２０８の光学系を通過し、フォトディテクタＰＤ２１０で電気信号として検出される。
【００１５】
検出された電気信号は、プリアンプ２１２で増幅され、サーボ回路２１８および信号処理回路２１４、２１６に出力される。サーボ回路２１８では、フォーカス、トラッキング、チルト、回転速度等のサーボ信号が生成され、各サーボ信号が、それぞれ、ＰＵＨ２０８内の図示しないフォーカス、トラッキング、およびチルトアクチュエータに出力される。また、回転速度のサーボ信号はスピンドルモータ２２０の駆動回路系に送られ、ディスクの記録層上におけるレーザビームスポットの線速度が所定値に制御される。
【００１６】
信号処理回路２１４、２１６では、記録されたデータの読み取りや、アドレス信号等の復調が行われる。その際の復調方法としては、スライス方式やＰＲＭＬ（Partial Response Maximum Likelihood）方式がある。スライス方式には、再生信号に線形な波形等化を行った後に信号を２値化する方法や、再生信号の低域の高振幅成分を一定の値に制限するリミットイコライザと呼ばれる非線形等化器によって等化した後に信号を２値化する方法などがある。また、ＰＲＭＬ方式に関しても、再生信号の周波数特性に対応して、最適なＰＲクラスたとえば、PR（1,2,2,2,1）や、PR（1,2,1）、PR（1,2,2,1）、PR（3,4,4,3）等が選択される。
【００１７】
光ディスク装置２００は、記録再生の対象となる光ディスク１０と、ＰＵＨ２０８によって形成される集光ビームスポットのサイズによって、最適な復調方式（スライス方式またはＰＲＭＬ方式）を選択する。
【００１８】
アドレス信号処理回路２１６では、検出された信号を処理することにより、光ディスク上の記録位置を示す「物理アドレス情報」を読み出し、コントローラ２５０に出力する。コントローラ２５０は、このアドレス情報を元に、所望のアドレス位置のデータ（ユーザデータ等）を読み出したり、所望のアドレス位置にデータを記録したりする。その際、記録データは、記録信号処理回路２０４内、もしくはレーザダイオードドライバＬＤＤ（レーザダイオード駆動回路）２０６内の図示しない記録波形回路で光ディスク記録に適した記録波形制御信号に変調される。このとき、データの変調は例えば(1,10)RLL変調、(1,7)RLL変調といった変調方式が用いられる。(1,10)RLL変調では、データの変調に用いられた最も短い符号は2T、最も長い符号は11Tとなる。さらに、記録波形発生回路では、入力された符号を元にレーザ発光波形を制御するための信号を生成し、光ディスクに情報の記録を行う。
【００１９】
即ちこの変調された信号を元に、レーザダイオードドライバＬＤＤ２０６はレーザダイオードを発光させ、光ディスク１０に情報を記録する。
この実施形態では、光学ヘッドＰＵＨ２０８内には、波長405±15 nm、650±20 nm、780±30 nmのいずれかの単波長光源１つ、もしくは複数の単波長光源が搭載されている。また、光学ヘッドＰＵＨ２０８で上記波長のコヒーレントなレーザ光を光ディスク１０内の記録層上に集光させるために用いられる対物レンズは、この実施の形態では、開口数ＮＡ値が０．６５である。が、その他の実施の形態として、Ｈフォーマットの情報記憶媒体に対して記録／再生する場合はＮＡ値が０．６５の対物レンズを使用し、Ｂフォーマットの情報記憶媒体に記録／再生する場合にはＮＡ＝０．８５の対物レンズを使用するように、対物レンズが切り替えられるような構造にすることも可能である。
【００２０】
なお、対物レンズに入射する直前の入射光の強度分布として、中心強度を“１”とした時の対物レンズ周辺（開口部境界位置）での相対的な強度を“ＲＩＭIntensity”と呼ぶ。Ｈフォーマットにおける前記ＲＩＭ Intensityの値は５５〜７０％になるように設定してある。この時の光学ヘッド内での波面収差量は使用波長λに対して最大０．３３λ（０．３３λ以下）になるように光学設計されている。
【００２１】
また、本発明の光ディスク装置は後述の回転速度設定手順により、記録再生処理を行う。
図４にホスト側の再生手順の例を示す。ホスト側とは、上記ホスト部３００またはホスト３００ＰＣ等のような言わばホスト装置を指す。
ディスクが挿入されている状態で、ユーザから再生を指示された場合のホストコンピュータの処理手順を示している。まず、ディスク上のコンテンツの種類を判別し（ステップＳ７１）このコンテンツを再生するために必要な最低再生速度(Byte/Sec) を確認する（ステップＳ７２）。次にドライブの再生速度能力をドライブに問い合わせ、確認する（ステップＳ７３）。ドライブがこのコンテンツを再生するための最低再生速度を満たすことが可能な場合は（ステップＳ７３のＹＥＳ）、その最低再生速度をドライブに指定し再生を開始する（ステップＳ７４）。もしドライブが最低再生速度を満たすことが可能でない場合は（ステップＳ７３のＮＯ）、ユーザに映像データが途中で途切れる可能性を通知し（ステップＳ７５）、ユーザに再生を開始するかどうかを選択させる（ステップＳ７６）。ユーザが再生開始を指示した場合は（ステップＳ７６のＹＥＳ）再生を開始する（ステップＳ７７）。ユーザが再生中止を指示した場合は再生動作を開始しない（ステップＳ７６のＮＯ）。
【００２２】
図５にドライブ側の再生手順の例を示す。
ホストコンピュータがドライブへ最低再生速度を指示した場合の、ドライブの処理手順を示している。まず、現在挿入されているディスクの種類、状態の確認（ステップＳ８１）結果からホストから指示された最低再生速度で連続再生が可能かどうかを判断する（ステップＳ８２）。可能な場合（ステップＳ８２のＹＥＳ）は指示された最低再生速度を満たすディスク回転速度でディスクを再生し（ステップＳ８３）、ホストへ正常終了を通知する（ステップＳ８４）。不可能な場合は、ホストへ異常終了を通知する（ステップＳ８５）。
【００２３】
今まではDVD-Video/VR などディスクの標準速度で再生すればよかったが、例えばHD DVD-Video/VR では標準速度は3倍である。ATAPI コマンドにはAV データを再生するためのRead コマンドとPC データを読み出すためのRead コマンドが別々に定義されている。AV データを再生するコマンドでは再生動作を途切れさせないために、ドライブがデータを読めなかった場合にはダミーデータをホストへ送る。ドライブが読めないと判断するまでの時間はDVDの場合はDVD-Video/VR コンテンツが記録されていることが前提にあったため転送速度が標準速度を下回らない時間に設定されている。しかし、HD DVD-Video/VR が記録されているDVD の場合には、ドライブはこの時間を標準時間の1/3倍に設定しなければならない。
【００２４】
しかしドライブは記録されているデータの種類まで判別することは少ないので、本実施形態のように記録されているデータの種類をホスト側で判断し、映像データのような連続再生が必要なデータの場合、ホストはそのデータの最低再生速度をドライブに指定し、映像再生動作を開始する。もし、ドライブがその映像データを連続再生できない場合はその旨をユーザに示す。
【００２５】
本実施形態の概要として、DVD に記録されているデータがDVD-Video に加え、HD DVD-Video/VR などの、より高速連続再生が必要な場合の連続再生方法について説明した。HD DVD-Video/VR などが記録されているDVD の再生が、最高回転速度などの限界などにより連続再生不可能なドライブがあり得るが、その場合その旨をユーザに通知する機能を持つ。また、ドライブが記録データの種類を判別するのではなく、ホストコンピュータ側が判別する。
【００２６】
効果として、DVD に記録されたコンテンツを再生する際、ユーザに再生速度不足による再生映像の乱れなどが起こる可能性を事前に通知することが出来る。また、ドライブが記録データ種別を判別する必要がなく、ディスクのイニシャル時間を短縮できる。
【００２７】
以上本実施形態の特徴として、光ディスク上に記録されたデータを再生する場合，連続再生が必要な場合，ホストコンピュータがその最低再生速度を指示する。
本実施形態によって得られる効果：
１．HD Rec メディアのようなディスク規格上の標準再生速度より速い再生速度が必要なメディア上のコンテンツの連続再生が可能になる。その際ドライブが記録データの種類を判別する必要はない。
【００２８】
２．HD Rec メディアのようなディスク規格上の標準再生速度より速い再生速度が必要なメディア上のコンテンツの連続再生が可能でない場合、再生前にユーザに通知することが可能になる。
【００２９】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３０】
【図１】この発明の一実施の形態に係るディスク状の情報記憶媒体（光ディスク）に対して情報の記録および／または再生を行なうプレーヤ／レコーダ１００の概略構成を説明する図。
【図２】この発明の一実施の形態に係るディスク状の情報記憶媒体（光ディスク）に対して情報の記録および／または再生を行なうパーソナルコンピュータの概略構成を説明する図。
【図３】図１または図２の光ディスク装置（ドライブ装置）の概略構成を説明する図。
【図４】同実施形態のホスト側の再生手順の例を示すフローチャート図。
【図５】同実施形態にドライブ側の再生手順の例を示すフローチャート図。
【符号の説明】
【００３１】
１０…ディスク状の情報記憶媒体（光ディスク）；１００…光ディスクを用いて記録および／または再生を行なうレコーダまたはプレーヤ；２００…光ディスクが装填される光ディスク装置（ディスクドライブ装置）；３００…レコーダまたはプレーヤの動作制御をファームウエア等により行なうホストコンピュータ；３００ＰＣ…レコーダまたはプレーヤの動作制御をオペレーティングシステムに装備されたソフトウエア等により行なうパーソナルコンピュータ。
【図１】
2010033629.tif 000003
【図２】
2010033629.tif 000004
【図３】
2010033629.tif 000005
【図４】
2010033629.tif 000006
【図５】
2010033629.tif 000007